(57)【要約】  鏡ユニットの鏡面に対して左右の各位置に上下方向に並んで設けられた色調整可能な照明用の複数の面光源と、鏡面に対して上方の位置に設けられた色調整可能な照明用の面光源と、左右の位置各々における複数の面光源のうちの、鏡面に映し出されるべき人物像の目の位置に対応した上下方向の位置に存在する面光源と上方の位置における面光源とを白色発光させる駆動手段と、を備える照明付き化粧鏡セット。
2013046448.tif 000002
【特許請求の範囲】
【請求項１】
鏡ユニットを備える照明付き化粧鏡セットであって、
前記鏡ユニットの鏡面に対して左右の各位置に上下方向に並んで設けられた色調整可能な照明用の複数の面光源と、
前記鏡面に対して上方の位置に設けられた色調整可能な照明用の面光源と、
前記左右の位置各々における前記複数の面光源のうちの、前記鏡面に映し出されるべき化粧対象者像の目の位置に対応した上下方向の位置に存在する面光源と、前記上方の位置における前記面光源とを白色発光させる駆動手段と、を備えることを特徴とする照明付き化粧鏡セット。
【請求項２】
前記駆動手段は、
前記鏡面に映し出される前記化粧対象者の目の上下方向の位置を検出する検出部と、
前記検出部によって検出された前記目の位置に応じて前記左右の位置各々における前記複数の面光源のうちの１つの面光源を白色発光させる制御部と、を備えることを特徴とする請求項１記載の照明付き化粧鏡セット。
【請求項３】
前記鏡面に対して上方の位置には複数の前記面光源が左右方向に並んで設けられ、
前記検出部は、前記鏡面に映し出される前記化粧対象者の顔の中心線を検出し、
前記制御部は、前記上方の位置における前記複数の面光源のうちの、前記顔の中心線上に存在する面光源を白色発光させることを特徴とする請求項２記載の照明付き化粧鏡セット。
【請求項４】
前記鏡面に対して左右及び上方の各位置の前記面光源は左右の側板及び上板に各々取り付けられ、
前記左右の側板各々は前記鏡ユニットの左右の側端部に連結され、前記上板は前記鏡ユニットの上端部に連結されていることを特徴とする請求項１〜３のいずれか１記載の照明付き化粧鏡セット。
【請求項５】
前記側板及び前記上板各々の前記面光源は前記側板及び前記上板に対して発光面の角度を調整可能であることを特徴とする請求項４記載の照明付き化粧鏡セット。
【請求項６】
鏡ユニットを備える照明付き化粧鏡セットであって、
前記鏡ユニットの鏡面に対して左右の各位置に設けられた色調整可能な照明用の面光源と、
前記鏡面に対して上方の位置に設けられた色調整可能な照明用の面光源と、
前記左右の位置各々における前記面光源の発光面のうちの、前記鏡面に映し出されるべき化粧対象者像の目の位置に対応した領域と、前記上方の位置における前記面光源のうちの前記鏡面を左右に２等分する線位置に対応した領域とを白色発光させる駆動手段と、を備えることを特徴とする照明付き化粧鏡セット。
【発明の詳細な説明】
【技術分野】
【０００１】
本発明は、鏡ユニットと共に照明用の光源を有する照明付き化粧鏡セットに関する。
【背景技術】
【０００２】
モデルや女優の化粧（整髪を含む）の際には化粧の具合を鏡に明確に映し出すために照明が必要とされ、そのような照明用として複数の光源を並べたハリウッドライトと称するものが知られている。また、化粧鏡の両側にハリウッドライトを備えた照明付き化粧鏡セットがメークアップケースとして商品化されている。ハリウッドライトにおいては光源としては通常、点光源の白熱電球が用いられている。【０００３】
更に、三面鏡の正面鏡本体の正面鏡面の周囲の上下左右の側縁部の少なくとも一側縁に照明用光源を備えた装置（特許文献１）や、照明特性を調整可能な照明装置と化粧鏡とを備えた化粧ユニット（特許文献２）が知られている。特許文献１の装置の光源は点光源のＬＥＤ（発光ダイオード）が用いられ、特許文献２のユニットでは発光色を変化させるためにＲＧＢランプが用いられている。
【先行技術文献】
【特許文献】
【０００４】
【特許文献１】特開２００８−２７２３３３号公報
【特許文献２】特開２００９−１２５１１４号公報
【発明の概要】
【発明が解決しようとする課題】
【０００５】
従来の照明付き化粧鏡セット、例えば、ハリウッドライトを用いた照明付き化粧鏡セットにおいては上記したように複数の光源には白熱電球などが使用されており、それら光源の位置は、適度な照度を得るために決められたに過ぎず、左右に配置されたり、上部だけに配置されたり、または鏡面の四辺全てに配置されている場合もあった。
また、デザイン的な観点を重視して、光源の配置が決められたものも多く、実際のメイクに適した光環境を作る為に設計された光源位置ではなかった。【０００６】
そこで、本発明が解決しようとする課題は、上記の欠点が一例として挙げられ、化粧に最適な照明状態を作り出すことができる位置に光源が配置されるように、光源と化粧対象者との相対位置検出と調整が可能な化粧鏡セットを提供することが本発明の目的である。
【課題を解決するための手段】
【０００７】
請求項１に係る発明の照明付き化粧鏡セットは、鏡ユニットを備える照明付き化粧鏡セットであって、前記鏡ユニットの鏡面に対して左右の各位置に上下方向に並んで設けられた色調整可能な照明用の複数の面光源と、前記鏡面に対して上方の位置に設けられた色調整可能な照明用の面光源と、前記左右の位置各々における前記複数の面光源のうちの、前記鏡面に映し出されるべき化粧対象者像の目の位置に対応した垂直方向の位置に存在する面光源と前記上方の位置における前記面光源とを白色発光させる駆動手段と、を備えることを特徴としている。【０００８】
請求項６に係る発明の照明付き化粧鏡セットは、鏡ユニットを備える照明付き化粧鏡セットであって、前記鏡ユニットの鏡面に対して左右の各位置に設けられた色調整可能な照明用の面光源と、前記鏡面に対して上方の位置に設けられた色調整可能な照明用の面光源と、前記左右の位置各々における前記面光源の発光面のうちの、前記鏡面に映し出されるべき化粧対象者像の目の位置に対応した領域と前記上方の位置における前記面光源のうちの前記鏡面を左右に２等分する線位置に対応した領域とを白色発光させる駆動手段と、を備えることを特徴としている。
【発明を実施するための形態】
【０００９】
請求項１に係る発明の照明付き化粧鏡セットによれば、左右の位置各々における複数の面光源のうちの、鏡面に映し出された化粧対象者像の目の位置に対応した上下方向の位置に存在する面光源と上方の位置における面光源とが白色発光される。また、請求項６に係る発明の照明付き化粧鏡セットによれば、左右の位置各々における面光源の発光面のうちの、鏡面に映し出されるべき化粧対象者像の目の位置に対応した領域と上方の位置における面光源のうちの鏡面を左右に２等分する線位置に対応した領域とが白色発光される。よって、左右及び上方の３方向からの面光源による照明となると共に化粧対象者の目を中心として顔が白色で照明されるので鏡面に映し出される化粧対象者像を立体的に視認することができる。また、照明用に面光源を用いているため、点光源を用いた場合に比べて化粧対象者が同じ照度であっても眩しいことはない。よって、化粧対象者に対して長時間に亘って化粧を施しても化粧対象者はその化粧の間において快適に過ごすことができ、これにより化粧に最適な照明状態を作り出すことができる
【図面の簡単な説明】
【００１０】
【図１】本発明の実施例として照明付き化粧鏡セットを示す外観図である。
【図２】図１の化粧鏡セット中の蝶番機構を示す図である。
【図３】図１の化粧鏡セットの折りたたみ状態を示す外観図である。
【図４】図１の化粧鏡セット中の有機ＥＬパネルの構造を示す断面図である。
【図５】図１の化粧鏡セットの駆動装置の構成を示すブロック図である。
【図６】図１の化粧鏡セット中の操作部の各押しボタンを示す図である。
【図７】図１の化粧鏡セットにおいて特定の有機ＥＬパネルを白色発光させた状態を示す図である。
【図８】本発明の他の実施例として化粧鏡セットの駆動装置の構成を示すブロック図である。
【図９】図８の駆動装置中のカメラの取り付け位置を示す図である。
【図１０】図８の駆動装置中の制御部の動作を示すフローチャートである。
【図１１】図１０の制御部の動作によって有機ＥＬパネルが白色発光させた状態を示す図である。
【図１２】図１の化粧鏡セットにおいて角度調整可能な有機ＥＬパネルを示す外観図である。
【図１３】単一の面光源の発光面を複数の領域に分けて領域毎に個別に駆動する照明付き化粧鏡セットを示す外観図である。
【実施例】
【００１１】
以下、本発明の実施例を、図面を参照しつつ詳細に説明する。【００１２】
図１は請求項１に係る発明の実施例である照明付きの化粧鏡セットを示している。この化粧鏡セットは、鏡ユニット１１、左右の側板１２，１３、上方の上板１４、及び支持台１５を備えている。鏡ユニット１１は長方形の鏡２１とその鏡２１の裏面に張り合わされた平板２２とを有する。平板２２は樹脂、木、或いは金属からなり、鏡２１のサイズと同一サイズを有しても良いし、若干大きくても良い。左側の側板１２は鏡ユニット１１の左側端部に角度調整自在に連結され、右側の側板１３は鏡ユニット１１の右側端部に角度調整自在に連結されている。上板１４は鏡ユニット１１の上側端部に角度調整自在に連結されている。鏡ユニット１１と側板１２，１３及び上板１４各々との間には図２に示すように蝶番機構１６が形成されており、その蝶番機構１６によって上記の角度調整自在な連結が可能となっている。その角度調整範囲は鏡ユニット１１と側板１２，１３及び上板１４各々とがほぼ水平となる角度から、鏡ユニット１１に対して側板１２，１３及び上板１４を折りたたんだ状態における角度までを含む。【００１３】
側板１２，１３各々の垂直方向（上下方向）の長さは鏡ユニット１１の垂直方向の長さと同一であるが、水平方向（左右方向）の長さは鏡ユニット１１の水平方向の長さの１／２以下である。【００１４】
側板１２，１３各々の表面には４つの有機ＥＬ(Electro Luminescence)パネル（面光源）２５ａ〜２５ｄ，２６ａ〜２６ｄが垂直方向に並べて接着によって取り付けられている。有機ＥＬパネル２５ａ〜２５ｄ，２６ａ〜２６ｄは同一のものであり、例えば、１３ｃｍ×１３ｃｍの正方形状をしている。また、上板１４には３つの有機ＥＬパネル（面光源）２７ａ〜２７ｃが水平方向に並べて接着によって取り付けられている。有機ＥＬパネル２７ａ〜２７ｃは図１では有機ＥＬパネル２５ａ〜２５ｃ，２６ａ〜２６ｄより小さいサイズのものとなっているが、同一の大きさでも良い。【００１５】
支持台１５は台座１５ａと支柱１５ｂとからなり、楕円平板の台座１５ａに対して垂直に支柱１５ｂは連結している。支持台１５は側板１２，１３及び上板１４を含む鏡ユニット１１を支持するために支柱１５ｂが鏡ユニット１１に取り外し自在に連結している。例えば、鏡ユニット１１の低部には連結孔（図示せず）が形成され、支柱１５ｂの先端部がその連結孔に差し込まれることにより支持台１５と鏡ユニット１１とが結合するようになっている。【００１６】
上記した構成を有する図１の化粧鏡セットにおいては、側板１２，１３及び上板１４各々を鏡ユニット１１との連結部分（上記の蝶番機構１６）を回転軸としてメークアップアーチスト等の利用者（ユーザ）が操作することにより側板１２，１３及び上板１４各々と鏡ユニット１１との角度を個別に調整することができる。すなわち、鏡２１の鏡面に映し出されるモデル等の化粧対象者の像を側板１２，１３及び上板１４各々の有機ＥＬパネル２５ａ〜２５ｄ，２６ａ〜２６ｄ，２７ａ〜２７ｃによる発光によって好適に照らし出すように側板１２，１３及び上板１４各々と鏡ユニット１１との角度を個別に調整することができる。【００１７】
また、側板１２，１３及び上板１４各々は有機ＥＬパネル２５ａ〜２５ｄ，２６ａ〜２６ｄを有する状態で図３に示すように折りたたむことができる。この折りたたんだ状態で側板１２，１３同士が接触することはないが、上板１４が側板１２，１３の一部と重なり合う。有機ＥＬパネル２５ａ〜２５ｄ，２６ａ〜２６ｄ，２７ａ〜２７ｃの厚みが薄いために有機ＥＬパネル２５ａ〜２５ｄ，２６ａ〜２６ｄ，２７ａ〜２７ｃが破損或いは変形することなく側板１２，１３及び上板１４各々を折りたたむことができる。【００１８】
更に、支持台１５を鏡ユニット１１から取り外して支持台１５と鏡ユニット１１及び側板１２，１３部分とを分離し、上記のように鏡ユニット１１に対して側板１２，１３及び上板１４を折りたたんだ状態にすることにより化粧鏡セットの搬送が容易となる。【００１９】
次に、図１の化粧鏡セットの有機ＥＬパネル２５ａ〜２５ｄ，２６ａ〜２６ｄ，２７ａ〜２７ｃ各々及びその駆動系について説明する。【００２０】
有機ＥＬパネル２５ａ〜２５ｄ，２６ａ〜２６ｄ，２７ａ〜２７ｃ各々はフルカラーの照明用発光パネルであり、図４に示すように、ガラス基板５１上に発光色がＲ（赤）Ｇ（緑）Ｂ（青）である有機ＥＬ素子５０Ｒ，５０Ｇ，５０Ｂがストライプ状に形成されている。なお、図４はストライプの直線に直交する方向の断面を示している。【００２１】
それらの有機ＥＬ素子５０Ｒ，５０Ｇ，５０Ｂ各々は陽極５２、ホール注入層５３、ホール輸送層５４、ＲＧＢ発光層５５Ｒ，５５Ｇ，５５Ｂ、電子輸送層５６、そして陰極５７の順に積層された構造を有し、有機ＥＬ素子５０Ｒ，５０Ｇ，５０Ｂ間はバンク５８で仕切られている。また、各有機ＥＬ素子５０Ｒ，５０Ｇ，５０Ｂの陽極５２上にはバスライン５９が形成されており、バスライン５９によって陽極５２への給電が行われるようになっている。陽極５２は例えば、スパッタ法により膜厚７０ｎｍのＩＴＯ膜からなる。ホール注入層５３はＣｕＰｃからなり、厚さ２０ｎｍである。ホール輸送層５４はＮＰＢからなり、厚さ２０ｎｍである。Ｒ（赤）発光層５５ＲはＣＰＢをホスト材料とし、Ｉｒ(ｐｈｑ)２ｔｐｙをドーパントとしており、Ｇ（緑）発光層５５ＧはＣＰＢをホスト材料とし、Ｉｒ(ｐｐｙ)３をドーパントとしており、Ｂ（青）５５ＢはＰＡＮＤをホスト材料とし、ＤＰＡＶＢｉをドーパントとしている。ＲＧＢ発光層５５Ｒ，５５Ｇ，５５Ｂの厚さは４０ｎｍである。電子輸送層５６はＣｓｘＭｏＯｘをドープしたＮＢｐｈｅｎからなり、厚さ３０ｎｍである。陰極５７は膜厚７０〜１００ｎｍのＡｌ膜からなる。なお、この有機ＥＬパネル２５ａ〜２５ｄ，２６ａ〜２６ｄ，２７ａ〜２７ｃの内部構造は一例であり、本発明はこれに限定されない。【００２２】
図１の化粧鏡セットは有機ＥＬパネル２５ａ〜２５ｄ，２６ａ〜２６ｄ，２７ａ〜２７ｃを駆動する駆動装置（駆動手段）を備えている。駆動装置は図５に示すように、ＡＣ−ＤＣコンバータ６１、制御部６２、メモリ６３及び操作部６４を有している。ＡＣ−ＤＣコンバータ６１は交流電圧を直流電圧に変換して出力する。ＡＣ−ＤＣコンバータ６１の出力電圧は直流電源として有機ＥＬパネル２５ａ〜２５ｄ，２６ａ〜２６ｄ，２７ａ〜２７ｃ各々及び制御部６２に供給される。制御部６２は、ＡＣ−ＤＣコンバータ６１の出力電圧を電源として動作し、例えば、ＣＰＵで構成され、有機ＥＬパネル２５ａ〜２５ｄ，２６ａ〜２６ｄ，２７ａ〜２７ｃ各々の上記のＲＧＢの有機ＥＬ素子５０Ｒ，５０Ｇ，５０Ｂ毎の駆動電流を制御することにより有機ＥＬパネル毎の発光（発光色及び輝度）を個別に制御する。【００２３】
制御部６２には更に、メモリ６３及び操作部６４が接続されている。メモリ６３には制御部６２の制御で必要なプログラムやデータが保存される。操作部６４は有線又は無線のリモコンとして備えられている。【００２４】
操作部６４には、図６に示すように、電源ボタン７０とシーンボタン７５ａ〜７５ｅとが設けられている。ユーザによる操作部６４の電源ボタン７０の操作によって電源が投入された後においては、シーンボタン７５ａ〜７５ｅのいずれか１の操作が可能となる選択部である。【００２５】
メモリ６３には複数のシーン各々に対応した有機ＥＬパネル２５ａ〜２５ｄ，２６ａ〜２６ｄ，２７ａ〜２７ｃ各々のＲＧＢ各々の数値がデータとして予め記憶されている。シーンとしては例えば、オフィス、ホテルラウンジ、ディナーパーティ、ファションショー、及びアウトドアがある。このようなシーン毎に有機ＥＬパネル２５ａ〜２５ｄ，２６ａ〜２６ｄ，２７ａ〜２７ｃ各々の最適な発光色及び輝度に対応してＲＧＢ各々の数値がデータとしてメモリ６３に記憶されている。メモリ６３に記憶されたデータのうちの有機ＥＬパネル２５ｂ，２６ｂ，２７ｂ各々の発光色のデータはいずれのシーンにおいても白色となるように設定されている。【００２６】
シーンボタン７５ａ〜７５ｅのうちの例えば、シーンボタン７５ａが押圧操作されると、制御部６２はシーンボタン７５ａに対応したシーンのデータ（有機ＥＬパネル２５ａ〜２５ｄ，２６ａ〜２６ｄ，２７ａ〜２７ｃ各々のＲＧＢ各々の数値）をメモリ６３から読み出す。制御部６２は読み出したデータに応じて有機ＥＬパネル２５ａ〜２５ｄ，２６ａ〜２６ｄ，２７ａ〜２７ｃ各々の赤緑及び青の発光色の各有機ＥＬ素子５０Ｒ，５０Ｇ，５０Ｂの駆動電流を供給する。有機ＥＬパネル２５ａ〜２５ｄ，２６ａ〜２６ｄ，２７ａ〜２７ｃ各々はメモリ６３のシーンボタン７５ａに対応したデータが示す発光色及び輝度にて発光する。この結果、シーンボタン７５ａを操作すると、シーンボタン７５ａに対応したシーンに好適な照明状態を作り出すことができる。【００２７】
この有機ＥＬパネル２５ａ〜２５ｄ，２６ａ〜２６ｄ，２７ａ〜２７ｃの駆動時において、有機ＥＬパネル２５ｂ，２６ｂ，２７ｂ各々は図７に示すように白色発光する。ここでいう白色とは、色温度で例えば、２７００〜６７００Ｋの範囲の色である。側板１２，１３の有機ＥＬパネル２５ｂ，２６ｂは鏡２１の鏡面に映し出されるべき化粧対象者像Ｐ１の目が通常位置する高さの線Ａ１上に存在する。有機ＥＬパネル２５ｂ，２６ｂは垂直方向に上記したように１３ｃｍの幅を有しているので、その範囲内にほとんどの化粧対象者の目の位置は収まる。また、有機ＥＬパネル２７ｂは鏡２１の鏡面を左右に２等分する垂直方向の直線Ａ２上に存在する。よって、左右及び上方の３方向からの有機ＥＬパネルによる照明となると共に有機ＥＬパネル２５ｂ，２６ｂ，２７ｂの発光色が白色となることにより化粧対象者の目を中心として顔が白色で照明されるので鏡２１の鏡面に映し出される化粧対象者像を立体的に視認することができる。また、照明用に有機ＥＬパネルによる面光源を用いているため、点光源を用いた場合に比べて化粧対象者が同じ照度であっても眩しいことはない。従って、上記した実施例によれば、化粧に最適な照明状態を作り出すことができる。【００２８】
なお、実際には化粧対象者によって鏡２１の鏡面に映し出される目の位置は異なるので、白色発光させる有機ＥＬパネルをパネル２５ｂ，２６ｂに固定しないでユーザによる操作部６４への入力操作に応じて白色発光させる有機ＥＬパネルを選択的に指定できるようにしても良い。【００２９】
また、目の位置に対応して有機ＥＬパネル２５ｂ，２６ｂ各々の発光面を全て白色発光させるのではなくて、目の位置に実際に対応する有機ＥＬパネル２５ｂ，２６ｂ各々の発光面の垂直方向の一部領域だけを白色発光させても良い。更に、その一部領域をユーザによる操作部６４への入力操作に応じて調整できるようにしても良い。【００３０】
更に、上記した実施例においては、上板１４に複数の有機ＥＬパネル２７ａ〜２７ｃが取り付けられているが、上板１４には１つの有機ＥＬパネルだけが取り付けられても良く、その場合にはその１つの有機ＥＬパネルが白色発光する。【００３１】
図８は本発明の他の実施例として図１の化粧鏡セットの駆動装置の構成を示している。図８に示した駆動装置においては、カメラ６５が制御部６２に接続されている。その他の構成は図５に示した駆動装置と同一であり、図８においては同一符号を用いて示している。【００３２】
カメラ６５は図９に示すように鏡ユニット１１の平板２２の上部に取り付けられている。しかしながら、左右の側板１２，１３、及び上方の上板１４のいずれかに設けられても良いし、ユーザが手に持って操作しても良い。カメラ６５は本化粧鏡セットにおける化粧対象者の顔を例えば、上記の操作部６４の電源ボタン７０が押圧操作された直後に撮影してその撮影画像の映像信号を制御部６２に供給する。【００３３】
カメラ６５と制御部６２とは鏡ユニット１１の鏡面に映し出された化粧対象者の目の位置を検出する検出部を構成する。【００３４】
制御部６２は、映像信号が供給されると、図１０に示すように、映像信号が示す画像から化粧対象者の顔の目の位置及び化粧対象者の顔の中心線を認識する（ステップＳ１）。このステップＳ１の認識には例えば、テンプレートマッチング技法による顔認識及び顔パーツ認識技術が用いられる。ステップＳ１の認識結果である目の位置に対応した高さ位置の有機ＥＬパネルを有機ＥＬパネル２５ａ〜２５ｄ，２６ａ〜２６ｄのうちから選択する（ステップＳ２）。また、ステップＳ１の認識結果である顔の中心線上に位置する有機ＥＬパネルを有機ＥＬパネル２７ａ〜２７ｃのうちから選択する（ステップＳ３）。ステップＳ２及びＳ３で選択した有機ＥＬパネルを白色発光させる（ステップＳ４）。すなわち、ステップＳ２及びＳ３で選択した有機ＥＬパネル各々を白色発光させるためにそれらの有機ＥＬパネル各々赤緑及び青の発光色の各有機ＥＬ素子５０Ｒ，５０Ｇ，５０Ｂに駆動電流が供給される。また、シーンボタン７５ａ〜７５ｅのうちの押圧操作された１つのシーンボタンを検出し（ステップＳ５）、操作された１つのシーンボタンに対応するシーンのデータ（ステップＳ２及びＳ３で選択した有機ＥＬパネル以外の有機ＥＬパネルのデータ）を読み出し（ステップＳ６）、読み出したデータに応じてステップＳ２及びＳ３で選択した有機ＥＬパネルを除く有機ＥＬパネル２５ａ〜２５ｄ，２６ａ〜２６ｄ，２７ａ〜２７ｃ各々の赤緑及び青の発光色の各有機ＥＬ素子５０Ｒ，５０Ｇ，５０Ｂの駆動電流を供給する（ステップＳ７）。【００３５】
この結果、図１１に示すように、鏡２１の鏡面に映し出された化粧対象者像Ｐ２の目の高さの位置Ａ３に存在する側板１２，１３各々上のいずれか１つの有機ＥＬパネル（例えば、有機ＥＬパネル２５ｂ，２６ｂ）が白色発光し、同時にその化粧対象者像Ｐ２の顔の中心線Ａ４上に存在する上板１４上のいずれか１つの有機ＥＬパネル（例えば、有機ＥＬパネル２７ｂ）が白色発光するので、鏡２１の鏡面に映し出される化粧対象者像Ｐ２を立体的に視認することができる。これにより化粧に最適な化粧状態を作り出すことができる。また、操作された１つのシーンボタンに対応したシーンに適切な照明状態を得ることもできる。【００３６】
上記した実施例の化粧鏡セットにおいては、図１２に示すように、有機ＥＬパネル２５ａ〜２５ｄ，２６ａ〜２６ｄが側板１２，１３に対する角度を調整可能され、有機ＥＬパネル２７ａ〜２７ｃが上板１４に対する角度を調整可能されても良い。図１２に示した有機ＥＬパネル２５ａ〜２５ｄ，２６ａ〜２６ｄ各々においては、鏡ユニット１１側の辺を回転軸として有機ＥＬパネル２５ａ〜２５ｄ，２６ａ〜２６ｄの角度調整が可能である。例えば、側板１２，１３と有機ＥＬパネル２５ａ〜２５ｄ，２６ａ〜２６ｄとを蝶番機構（図示せず）を介して連結することにより有機ＥＬパネル２５ａ〜２５ｄ各々の鏡ユニット１１側の辺を回転軸とすることができる。有機ＥＬパネル２７ａ〜２７ｃについても、有機ＥＬパネル２５ａ〜２５ｄ，２６ａ〜２６ｄの場合と同様の蝶番機構（図示せず）を介して上板１４と連結することにより有機ＥＬパネル２５ａ〜２５ｄ各々の鏡ユニット１１側の辺を回転軸とすることができる。また、図１２に示したように、側板１２，１３には有機ＥＬパネル２５ａ〜２５ｄ，２６ａ〜２６ｄ，２７ａ〜２７ｃと対応する位置に有機ＥＬパネル２５ａ〜２５ｄ，２６ａ〜２６ｄ，２７ａ〜２７ｃが入り込める大きさの開口部３１ａ〜３１ｄ，３２ａ〜３２ｄ，３３ａ〜３３ｃを形成しても良い。このように有機ＥＬパネル２５ａ〜２５ｄ，２６ａ〜２６ｄを側板１２，１３に対して、また有機ＥＬパネル２７ａ〜２７ｃが上板１４に対して角度調整可能にすることにより、有機ＥＬパネル毎に任意の角度に調整することができるので、より適切な照明状態を作り出すことができる。【００３７】
図１３は単一の面光源の発光面を複数の領域に分けて領域毎に個別に駆動する照明付き化粧鏡セットを示している。例えば、図１に示した実施例においては、側板１２，１３及び上板１４各々には複数の有機ＥＬパネル２５ａ〜２５ｄ，２６ａ〜２６ｄ，２７ａ〜２７ｃが取り付けられているが、図１３に示すように側板１２，１３各々には単一の長手の有機ＥＬパネル２５，２６がその長手方向を垂直方向として取り付けられ、上板１４には単一の長手の有機ＥＬパネル２７がその長手方向を水平方向として取り付けられても良い。この図１３の照明付き化粧鏡セットにおいては、有機ＥＬパネル２５，２６，２７各々の発光面を図１３に破線で示すように複数の領域、例えば、４つの領域２８ａ〜２８ｄ，２９ａ〜２９ｄ，３０ａ〜３０ｃに領域分けし、上記した実施例のパネル毎の駆動と同様に、操作部におけるユーザによる入力操作に応じて制御部が領域毎に駆動しかつ発光色及び輝度をシーンに対応させて調整することが行われる。また、有機ＥＬパネル２７の鏡面を左右に２等分する線位置に対応した領域３０ｂと、有機ＥＬパネル２５，２６各々の発光面のうちの鏡面に映し出されるべき化粧対象者像の目の位置に対応した領域２８ｂ，２９ｂとが白色発光するように有機ＥＬパネル２５，２６，２７が駆動される。このような駆動により、上記した実施例と同様に鏡２１の鏡面に映し出された化粧対象者像を立体的に視認することができる。
【符号の説明】
【００３８】
１１  鏡ユニット
１２，１３  側板
１４  上板
１５  支持台
１６  蝶番機構
２５ａ〜２５ｄ，２６ａ〜２６ｄ，２７ａ〜２７ｃ  有機ＥＬパネル
５０Ｒ，５０Ｇ，５０Ｂ  有機ＥＬ素子
【図１】
2013046448.tif 000003
【図２】
2013046448.tif 000004
【図３】
2013046448.tif 000005
【図４】
2013046448.tif 000006
【図５】
2013046448.tif 000007
【図６】
2013046448.tif 000008
【図７】
2013046448.tif 000009
【図８】
2013046448.tif 000010
【図９】
2013046448.tif 000011
【図１０】
2013046448.tif 000012
【図１１】
2013046448.tif 000013
【図１２】
2013046448.tif 000014
【図１３】
2013046448.tif 000015
【手続補正書】
【提出日】平成26年3月10日(2014.3.10)
【手続補正１】
【補正対象書類名】特許請求の範囲
【補正対象項目名】全文
【補正方法】変更
【補正の内容】
【特許請求の範囲】
【請求項１】
鏡ユニットを備える照明付き化粧鏡セットであって、
前記鏡ユニットの鏡面に対して左右の各位置に上下方向に並んで設けられた複数の面光源と、
前記鏡面に対して上方の位置に設けられた面光源と、
前記左右の位置各々における前記複数の面光源のうちの、前記鏡面に映し出されるべき化粧対象者像の目の位置に対応した上下方向の位置に存在する面光源と、前記上方の位置における前記面光源とを白色発光させる駆動手段と、を備え、
前記駆動手段は、
前記鏡面に映し出される前記化粧対象者の目の上下方向の位置を検出する検出部と、
前記検出部によって検出された前記目の位置に応じて前記左右の位置各々における前記複数の面光源のうちの少なくとも１つの面光源を白色発光させる制御部と、を備えることを特徴とする照明付き化粧鏡セット。
【請求項２】
前記鏡面に対して上方の位置には複数の前記面光源が左右方向に並んで設けられ、
前記検出部は、前記鏡面に映し出される前記化粧対象者の顔の中心線を検出し、
前記制御部は、前記上方の位置における前記複数の面光源のうちの、前記顔の中心線上に存在する面光源を白色発光させることを特徴とする請求項１記載の照明付き化粧鏡セット。
【請求項３】
前記鏡面に対して左右及び上方の各位置の前記面光源は左右の側板及び上板に各々取り付けられ、
前記左右の側板各々は前記鏡ユニットの左右の側端部に連結され、前記上板は前記鏡ユニットの上端部に連結されていることを特徴とする請求項１〜３のいずれか１記載の照明付き化粧鏡セット。
【請求項４】
前記側板及び前記上板各々の前記面光源は前記側板及び前記上板に対して発光面の角度を調整可能であることを特徴とする請求項４記載の照明付き化粧鏡セット。
【請求項５】
鏡ユニットを備える照明付き化粧鏡セットであって、
前記鏡ユニットの鏡面に対して左右の各位置に設けられた面光源と、
前記鏡面に対して上方の位置に設けられた面光源と、
前記左右の位置各々における前記面光源の発光面のうちの、前記鏡面に映し出されるべき化粧対象者像の目の位置に対応した領域と、前記上方の位置における前記面光源のうちの前記鏡面を左右に２等分する線位置に対応した領域とを白色発光させる駆動手段と、を備え、
前記駆動手段は、
前記鏡面に映し出される前記化粧対象者の目の上下方向の位置を検出する検出部と、
前記検出部によって検出された前記目の位置に応じて前記左右の位置各々における前記複数の面光源のうちの少なくとも１つの面光源を白色発光させる制御部と、を備えることを特徴とする照明付き化粧鏡セット。
【手続補正２】
【補正対象書類名】明細書
【補正対象項目名】０００７
【補正方法】変更
【補正の内容】
【０００７】
請求項１に係る発明の照明付き化粧鏡セットは、鏡ユニットを備える照明付き化粧鏡セットであって、前記鏡ユニットの鏡面に対して左右の各位置に上下方向に並んで設けられた複数の面光源と、前記鏡面に対して上方の位置に設けられた面光源と、前記左右の位置各々における前記複数の面光源のうちの、前記鏡面に映し出されるべき化粧対象者像の目の位置に対応した上下方向の位置に存在する面光源と、前記上方の位置における前記面光源とを白色発光させる駆動手段と、を備え、前記駆動手段は、前記鏡面に映し出される前記化粧対象者の目の上下方向の位置を検出する検出部と、前記検出部によって検出された前記目の位置に応じて前記左右の位置各々における前記複数の面光源のうちの少なくとも１つの面光源を白色発光させる制御部と、を備えることを特徴としている。
【手続補正３】
【補正対象書類名】明細書
【補正対象項目名】０００８
【補正方法】変更
【補正の内容】
【０００８】
請求項６に係る発明の照明付き化粧鏡セットは、鏡ユニットを備える照明付き化粧鏡セットであって、前記鏡ユニットの鏡面に対して左右の各位置に設けられた面光源と、前記鏡面に対して上方の位置に設けられた面光源と、前記左右の位置各々における前記面光源の発光面のうちの、前記鏡面に映し出されるべき化粧対象者像の目の位置に対応した領域と、前記上方の位置における前記面光源のうちの前記鏡面を左右に２等分する線位置に対応した領域とを白色発光させる駆動手段と、を備え、前記駆動手段は、前記鏡面に映し出される前記化粧対象者の目の上下方向の位置を検出する検出部と、前記検出部によって検出された前記目の位置に応じて前記左右の位置各々における前記複数の面光源のうちの少なくとも１つの面光源を白色発光させる制御部と、を備えることを特徴としている。
【国際調査報告】
2013046448.tif 000016
2013046448.tif 000017
2013046448.tif 000018
2013046448.tif 000019